(57)【特許請求の範囲】
【請求項１】
固定局と複数の移動局との間の無線通信期間と移動局相互間の無線通信期間とをＴＤＤ方式に従って制御する移動無線システムに於いて、
前記固定局及び移動局は、外部の同一の高精度の時刻情報を取得する時刻情報取得手段と、
該時刻情報取得手段によって取得した時刻情報により前記ＴＤＤ方式に従った送信タイミング信号を生成する送信タイミング生成手段と、
少なくとも前記送信タイミング信号の周期でカウントアップし、前記時刻情報取得手段により時刻情報を取得した時にリセットされるカウンタと、
前記送信タイミング生成手段により生成した送信タイミング信号を自局タイミング信号とし、且つ前記カウンタのカウント値を自局カウント値とした副情報を送信し、他局の送信タイミング信号を他局タイミング信号とし、且つ該他局のカウンタのカウント値を他局カウント値とした副情報を受信する副情報送受信手段と、
前記自局タイミング信号と前記他局タイミング信号とを、前記自局カウント値と前記他局カウント値との値の比較により選択したタイミング信号により、前記ＴＤＤ方式に従った制御を行うＴＤＤ送受信制御手段と
を備えたことを特徴とする移動無線システム。
【請求項２】
前記自局カウント値と前記他局カウント値とを比較する比較手段と、該比較手段により前記自局カウント値の方が小さい値の時は前記自局タイミング信号を選択し、前記他局カウント値の方が小さい値の時は前記他局タイミング信号を選択して、前記ＴＤＤ送受信制御手段と、該ＴＤＤ送受信制御手段により、タイミング制御される主情報送受信手段とを備えたことを特徴とする請求項１記載の移動無線システム。
【請求項３】
固定局と複数の移動局との間の無線通信期間と移動局相互間の無線通信期間とをＴＤＤ方式に従って制御する移動無線制御方法に於いて、
前記固定局及び移動局は、外部の同一の高精度の時刻情報を取得して、送信タイミング信号を生成し、且つ少なくとも前記送信タイミング信号周期でカウントアップするカウンタを、前記時刻情報を取得した時にリセットする過程と、
前記カウンタのカウント値を自局カウント値とし、前記時刻情報から生成した送信タイミング信号を自局タイミング信号とし、副情報により前記自局カウント値と前記自局タイミング信号とを送信し、且つ副情報により他局カウント値と他局タイミング信号とを受信し、前記自局カウント値と前記他局カウント値とを比較し、カウント値の小さい方に対応するタイミング信号を選択して、ＴＤＤ送受信制御手段を制御する過程を含む
ことを特徴とする移動無線制御方法。
【請求項４】
前記移動局相互間をＣＳＭＡ方式に従って行う通信期間と、前記固定局と前記移動局との間の通信期間とを、前記送信タイミング信号に同期したＴＤＤ方式により切替える過程を含むことを特徴とする請求項３記載の移動無線制御方法。
【発明の詳細な説明】
【技術分野】
【０００１】
本発明は、無線送受信機能を備えたパソコン等の端末装置を備えた移動局の相互間の無線通信及び固定局と移動局との間の無線通信を効率良く実行できる移動無線システム及び移動無線制御方法に関する。
【背景技術】
【０００２】
通信装置間の通信方式は既に各種の方式が知られており、又大容量伝送の要望に伴って、各種の多重化通信方式が提案されている。例えば、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＣＳＭＡ（Ｃａｒｒｉｅｒ  Ｓｅｎｓｅ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）等が知られており、又無線通信にも適用されている。又それら多重通信を組み合わせて、多数の移動局間又は固定局と複数の移動局との間で無線通信するシステムも知られている。
【０００３】
又携帯電話システムに於いては、サービスエリアを一部重なるように複数の基地局を分散配置し、携帯電話機を携行して移動しながら他の携帯電話機又は固定電話機との間の通話を可能とし、基地局側から各携帯電話機に対してチャネル割当てを行うものである。又共通チャネルにより移動局からＣＳＭＡ／ＣＡ方式により固定局にチャネル割当要求を行い、固定局がＴＤＭＡ方式に基づく送信時間のスケジューリングを行う制御方法が提案されている（例えば、特許文献１参照）。又複数の親局（固定局）からそれぞれのビーコンパケットを送信するビーコン領域と、許可された特定の局が時分割で割当てられた帯域を使用するＴＤＭＡ領域と、競合してアクセス可能のＣＳＭＡ領域とを、時間軸上に周期的に分割し、帯域保証が可能の領域選択を行うシステム及び制御方法も提案されている（例えば、特許文献２参照）。
【特許文献１】特開２００２−３７４２６５号公報
【特許文献２】特開２００５−７３２４０号公報
【発明の開示】
【発明が解決しようとする課題】
【０００４】
複数の移動局がそれぞれ１対１で無線通信する場合、複数の通信チャネルを設定可能とした所定の周波数帯内で、相互に妨害を与えないように通信チャネルの割当てが必要である。携帯電話システムのように、固定局（基地局）が殆ど総ての地域をサービスエリアとしている場合は、固定局（基地局）側で移動局（携帯電話機）に対して通信チャネルの割当制御が可能であるが、複数の固定局を通路等に沿った要所に分散配置した場合、又はイベント会場をサービスエリアとする固定局を配置した場合、その固定局のサービスエリア（ホットスポット）に移動局が移動しなければ、通信チャネル割当てのサービスを受けることができない。そこで、移動局間の無線通信はＣＳＭＡ方式を適用し、相互に衝突しない通信チャネルを自律的に選択する方式を適用することができる。
【０００５】
又移動局相互の多元接続方式としてＣＳＭＡ方式を採用し、移動局と固定局との間の無線通信の多重方式としてＴＤＤ（Ｔｉｍｅ  Ｄｉｖｉｓｉｏｎ  Ｄｕｐｌｅｘ）方式を採用することができる。このような無線通信システムに於いては、移動局が固定局に接近した際に、ＴＤＤスロットタイミングに従って自局の送信タイミングを決定し、移動局が固定局と通信する際には、ＴＤＤスロットタイミング同期を取ることになる。しかし、移動局の近傍に固定局が存在しない場合、固定局からスロットタイミング信号を取得することが出来るセルラ無線方式とは異なり、移動局が自律的に固定局に同期したタイミングを取得し続ける必要がある。
【０００６】
従って、スロット同期を取る為にＧＰＳ（Ｇｌｏｂａｌ  Ｐｏｓｉｔｉｏｎｉｎｇ  Ｓｙｓｔｅｍ）による正確な時刻情報を取得して、同期を取る手段を適用することが考えられているが、ＧＰＳ衛星からの電波を受信して、時刻情報を取得し続ける為には、常時４個以上のＧＰＳ衛星からの電波を受信し続ける必要がある。しかし、ＧＰＳ衛星からの電波の受信状態が良くない場所に於いては、移動局がＧＰＳ衛星からの電波受信による時刻情報の取得が困難であり、その為に、自律的に同期を継続することは困難となる場合がある。又移動局の近傍に固定局が存在せず、且つＧＰＳ衛星からの電波の受信状態が悪い場合には，移動局同士がＣＳＭＡ方式により無線通信を行うことは可能である。しかし、ＴＤＤ方式に従って、ＣＳＭＡ方式で使用されるタイムスロットのスロット時間長を、固定局が使用するＴＤＤスロットタイミングによって指定されるタイムスロットのスロット時間長とを同一として、効率良く無線通信を行う為には、ＧＰＳ衛星からの電波を受信し、正確な時刻情報を取得して、スロット同期を取り続ける必要がある。その場合、前述のように、移動局は、常にＧＰＳ衛星を４個以上捕捉して時刻情報を取得することが困難となる場合が多く、その為に、正確なスロット同期を継続的に得ることが困難となり、他の移動局の無線通信に妨害を与える問題がある。
【０００７】
本発明は、前述の問題点を解決するもので、移動局間で、信頼度情報を付加した時刻情報を伝達可能とし、高精度の同期継続を可能とすることを目的とする。
【課題を解決するための手段】
【０００８】
本発明の移動無線システムは、固定局と複数の移動局との間の無線通信期間と移動局相互間の無線通信期間とをＴＤＤ方式に従って制御する移動無線システムに於いて、前記固定局及び移動局は、ＧＰＳ衛星群等の外部の同一の高精度の時刻情報を取得する時刻情報取得手段と、該時刻情報取得手段によって取得した時刻情報により前記ＴＤＤ方式に従った送信タイミング信号を生成する送信タイミング生成手段と、少なくとも前記送信タイミング信号の周期でカウントアップし、前記時刻情報取得手段により時刻情報を取得した時にリセットされるカウンタと、前記送信タイミング生成手段により生成した送信タイミング信号を自局タイミング信号とし、且つ前記カウンタのカウント値を自局カウント値とした副情報を送信し、他局の送信タイミング信号を他局タイミング信号とし、且つ該他局のカウンタのカウント値を他局カウント値とした副情報を受信する副情報送受信手段と、前記自局タイミング信号と前記他局タイミング信号とを、前記自局カウント値と前記他局カウント値との値の比較により選択したタイミング信号により、前記ＴＤＤ方式に従った制御を行うＴＤＤ送受信制御手段とを備えている。
【０００９】
又自局カウント値と他局カウント値とを比較する比較手段と、この比較手段により自局カウント値の方が小さい値の時は自局タイミング信号を選択し、他局カウント値の方が小さい値の時は他局タイミング信号を選択して、ＴＤＤ送受信制御手段と、このＴＤＤ送受信制御手段によりタイミング制御される主情報送受信手段とを備えている。
【００１０】
本発明の移動無線制御方法は、固定局と複数の移動局との間の無線通信期間と移動局相互間の無線通信期間とをＴＤＤ方式に従って制御する移動無線制御方法に於いて、前記固定局及び移動局は、ＧＰＳ衛星群等による外部の同一の高精度の時刻情報を取得して、送信タイミング信号を生成し、且つ少なくとも前記送信タイミング信号周期でカウントアップするカウンタを、前記時刻情報を取得した時にリセットする過程と、前記カウンタのカウント値を自局カウント値とし、前記時刻情報から生成した送信タイミング信号を自局タイミング信号とし、副情報により前記自局カウント値と前記自局タイミング信号とを送信し、且つ副情報により他局カウント値と他局タイミング信号とを受信し、前記自局カウント値と前記他局カウント値とを比較し、カウント値の小さい方に対応するタイミング信号を選択して、ＴＤＤ送受信制御手段を制御する過程を含むものである。
【００１１】
又移動局相互間をＣＳＭＡ方式に従って行う通信期間と、固定局と移動局との間の通信期間とを、送信タイミング信号に同期したＴＤＤ方式により切替える過程を含むものである。
【発明の効果】
【００１２】
移動局が高精度の時刻情報を取得できない場合、固定局のサービスエリアに於けるＴＤＤスロットタイミングを得ることが困難となり、固定局のサービスエリアの近傍に於ける移動局間の無線通信が、固定局と移動局との間の無線通信に妨害を与えることになるが、固定局のサービスエリア近傍の移動局は、サービスエリア内の移動局からの副情報によるタイミング信号とカウント値とを受信し、カウント値の比較によりタイミング信号の精度を判定し、カウント値が小さいことによる精度の高い方のタイミング信号を選択することができ、サービスエリア内に移動した時は、精度の高いタイミング信号によりＴＤＤ制御が可能となり、妨害を与えるようなことを回避することができる。
【発明を実施するための最良の形態】
【００１３】
本発明の移動無線システムは、図１を参照すると、固定局と複数の移動局との間の無線通信期間と移動局相互間の無線通信期間とをＴＤＤ方式に従って制御する移動無線システムであって、固定局及び移動局は、ＧＰＳ衛星群等による高精度の時刻情報を取得する時刻情報取得手段１２と、この時刻情報取得手段１２によって取得した時刻情報により、ＴＤＤ方式に従った送信タイミング信号を生成する送信タイミング生成手段１６と、少なくとも送信タイミング信号の周期でカウントアップし、時刻情報取得手段１２により時刻情報を取得した時にリセットされるカウンタ１７と、送信タイミング生成手段１６により生成した送信タイミング信号を自局タイミング信号とし、且つカウンタ１７のカウント値を自局カウント値とした副情報を送信し、他局の送信タイミング信号を他局タイミング信号とし、且つ他局のカウンタのカウント値を他局カウント値とした副情報を受信する副情報送受信手段１３と、自局タイミング信号と他局タイミング信号とを、自局カウント値と他局カウント値との値の比較手段１８による比較により選択したタイミング信号によって、ＴＤＤ方式に従った制御を行うＴＤＤ送受信制御手段１４とを備えている。
【００１４】
又本発明の移動無線制御方法は、固定局と複数の移動局との間の無線通信期間と移動局相互間の無線通信期間とをＴＤＤ方式に従って制御する移動無線制御方法であって、固定局及び移動局は、ＧＰＳ衛星群等による高精度の時刻情報を取得して、送信タイミング信号を生成し、且つ少なくとも送信タイミング信号周期でカウントアップするカウンタ１７を、時刻情報取得可能時にリセットする過程と、カウンタ１７のカウント値を自局カウント値とし、時刻情報から生成した送信タイミング信号を自局タイミング信号とし、副情報により自局カウント値と自局タイミング信号とを送信し、且つ副情報により他局カウント値と他局タイミング信号とを受信し、自局カウント値と他局カウント値とを比較手段１８により比較し、カウント値の小さい方に対応するタイミング信号を選択して、ＴＤＤ送受信制御手段１４を制御する過程を含むものである。
【実施例１】
【００１５】
図１は、本発明の実施例１の説明図であり、１−１，１−２は移動局、２−１，２−２はＧＰＳ衛星群を示し、固定局は図示を省略している。又移動局１−１，１−２は同一構成の場合であり、同一符号は同一名称部分を示す。同図に於いて、１１は主情報送受信手段、１２は時刻情報取得手段、１３は副情報送受信手段、１４はＴＤＤ送受信制御手段、１５は送受信情報処理手段、１６は送信タイミング生成手段、１７はカウンタ、１８は比較手段、１９は多重化手段（ＭＵＸ）、２０は多重分離手段（ＤＥＭＵＸ）、２１はセレクタを示す。
【００１６】
各移動局の時刻情報取得手段１２は、ＧＰＳ衛星群を捕捉して高精度の時刻情報を取得する演算処理機能を有するものであり、移動局１−１は４個のＧＰＳ衛星群２−１を捕捉可能であるが、移動局１−２は、例えば、３個のＧＰＳ衛星群２−２のみを捕捉可能の場合を示す。従って、移動局１−１は高精度の時刻情報を取得できるが、移動局１−２は高精度の時刻情報を取得できないことになる。移動局１−１に於いては、時刻情報取得手段１２により取得した時刻情報を送信タイミング生成手段１６に転送する。送信タイミング生成手段１６は、時刻情報を基に送信タイミング信号を生成し、自局タイミング信号として、セレクタ２１と多重化手段１９とに転送し、且つ送信タイミング信号生成に伴って出力するリセット信号をカウンタ１７に加える。
【００１７】
このカウンタ１７は、図示を省略したクロック発生手段からのクロック信号をカウントアップし、リセット信号によりカウント値をリセットするものであり、その場合のクロック信号の周期を送信タイミング信号の周期とすることも可能である。そして、時刻情報取得手段１２により取得した時刻情報を基に、送信タイミング生成手段１６から送信タイミング信号を出力できた時に、リセット信号によりカウンタ１７をリセットし、時刻情報を基に送信タイミング信号を出力できなかった場合は、カウンタ１７のカウントアップを継続させる。なお、送信タイミング生成手段１６は、時刻情報取得手段１２から時刻情報が得られない場合、自走状態で周期的な送信タイミング信号を生成する構成とすることができ、その場合、カウンタ１７に対するリセット信号を出力しない構成とすることができる。従って、ＧＰＳ衛星群からの電波の受信により時刻情報を取得できた場合のカウンタ１７のカウント値は０となり、送信タイミング信号を得ることができない時に、カウント値はカウントアップされた値となる。このカウンタ１７のカウント値を自局カウント値として、比較手段１８と多重化手段１９とに転送する。このカウンタ１７のカウント値は、送信タイミング信号の尤度情報となるもので、カウント値が小さい程、尤度が高いことを示すことになる。
【００１８】
又副情報送受信手段１３は、多重化手段１９により多重化された自局タイミング信号と自局カウント値とを自局副情報として送信する。又他局からの副情報を受信して、多重分離手段２０により、他局タイミング信号と他局カウント値とを分離し、他局タイミング信号をセレクタ２１に、又他局カウント値を比較手段１８に転送する。比較手段１８は、自局カウント値と他局カウント値とを比較して、セレクタ２１を制御するセレクト信号を出力する。即ち、自局タイミング信号と他局タイミング信号との尤度を比較して、尤度の高いタイミング信号を選択する。
【００１９】
又ＴＤＤ送受信制御手段１４は、選択された送信タイミング信号により、送受信情報処理手段１５と主情報送受信手段１１との間の情報の送受信をＴＤＤ方式に従って制御するものであり、移動局に割り当てられた送受信期間に於いて、他局との間で情報を送受信し、他の期間に於いて固定局との間で情報を送受信するものである。このＴＤＤ送受信制御手段１４に入力する送信タイミング信号は、セレクタ２１により選択出力される自局タイミング信号か他局タイミング信号かであり、前述のように、比較手段１８により、自局カウント値と他局カウント値とを比較し、値の小さい方が、タイミング信号の尤度が高いので、カウント値の小さい方の尤度が高い方のタイミング信号を、ＴＤＤ送受信制御手段１４に入力するように、セレクタ２１を制御する。
【００２０】
又主情報送受信手段１１は、例えば、前述のＣＳＭＡ方式を適用して、周波数チャネル選択を行う手段を含み、又固定局及び他の移動局の送信情報を総て受信可能であり、且つその中の宛先情報等を基に、移動局相互間又は固定局との間で無線通信を行うことが可能である。又副情報送受信手段１３も主情報送受信手段１１と同様の無線通信制御構成を有するものである。又図示を省略した固定局は、移動局１−１，１−２と同様な構成を備えており、ＧＰＳ衛星群を捕捉して高精度の時刻情報を取得する時刻情報取得手段１２と同様な構成と、自局タイミング信号と自局カウント値とを含む副情報を送信する副情報送受信手段１３と同様な構成とを含むものである。その場合の固定局のカウント値は、通常０を示し、タイミング信号は尤度が高いことを示すことになる。
【００２１】
図２は、時刻情報としての送信タイミング信号の転送と通信期間の切替えとの概要を示すもので、（Ａ）は、固定局３０と複数の移動局３１−１，３１−２，３１−３，・・・との概略の関係を示し、（Ｂ）は、ＴＤＤ方式に従った固定局３０との間の通信期間Ｔ１と移動局間の通信期間Ｔ２の関係を示し、（Ｃ）は固定局３０のサービスエリアから離れている移動局間の通信期間Ｔを示す。なお、移動局間の通信期間Ｔ２，Ｔは、複数の周波数チャネルを用いる場合を示し、ＣＳＭＡ方式を適用して、衝突しない周波数チャネルの選択を行うことができる。従って、周波数チャネル数に従った移動局間の無線通信が可能となる。又固定局３０と移動局との間の通信期間Ｔ１に於いては、各種の多重通信方式を適用することができる。又ＴＤＤスロットとして、（Ｂ）に示すように、Ｔ１＝Ｔ２とし、固定局３０のサービスエリア内に移動した移動局は、ＴＤＤスロットタイミングの高精度の切替制御を行うことにより、固定局３０と移動局３１−１，３１−２との間の無線通信に対して、移動局間の無線通信が妨害を与えないようにする。
【００２２】
又移動局３１−１，３１−２は、固定局３０のサービスエリア内に移動し、他の移動局３１−３，３１−４，３１−５，・・・は、そのサービスエリア外であるが、それぞれ移動局相互間で無線通信できる距離であるとすると、移動局３１−１，３１−２は、ＧＰＳ衛星から時刻情報を取得することができない場合でも、固定局３０のシステムクロックに同期して、ＴＤＤスロットタイミングを得ることができる。即ち、固定局３０から時刻情報として、送信タイミング信号とカウント値とを含む副情報を送信するから、移動局３１−１，３１−２は、固定局３０からの副情報を受信し、そのカウント値が最小の０であるから、固定局３０からの送信タイミング信号を選択してＴＤＤ送受信制御手段１４に入力することになり、固定局３０のシステムクロックに同期した送信タイミング信号を得ることができる。
【００２３】
又固定局３０は４個以上のＧＰＳ衛星を捕捉可能の位置に設置されており、高精度の時刻情報を取得してＴＤＤ制御を行うことが可能である。又移動局３１−１，３１−２が固定局３０のサービスエリア内に図示のように移動した状態に於いては、移動局３１−１，３１−２も４個以上のＧＰＳ衛星を捕捉して高精度の時刻情報を、時刻情報取得手段１２（図１参照）により、固定局３０と同様に取得することが可能の状態となる。このような状態の固定局３０及び移動局３１−１，３１−２に於いては、高精度の時刻情報を取得して送信タイミング信号を生成することができるから、カウンタ１７のカウント値は０を示すことになる。
【００２４】
又移動局３１−３，３１−４，・・・は、固定局３０のサービスエリア外で、且つ４個以上のＧＰＳ衛星群を捕捉できない状態の場合、それらの移動局のカウンタ１７はカウントアップする状態となる。又各移動局間は、相互に無線通信可能の距離状態に於いて、例えば、移動局３１−３は、移動局３１−２からの副情報として、送信タイミング信号とカウント値とを受信することが可能であり、この場合、自局カウント値より移動局３１−２から受信した他局カウント値が小さいから、他局タイミング信号を選択して、ＴＤＤ送受信制御手段１４に、送信タイミング信号として入力することになる。即ち、固定局３０のサービスエリアに入る直前の状態に於いて、固定局３０の送信タイミング信号に同期した送信タイミング信号をＴＤＤ送受信制御手段１４に入力することが可能となる。又移動局３１−４は、移動局３１−３からの副情報として、送信タイミング信号とカウント値とを受信して、同様に、自局カウント値と他局カウント値とを比較して、値の小さい方の送信タイミング信号を選択することになる。
【００２５】
送信タイミング信号の精度情報としてのカウント値は、送信タイミング生成手段１６により自局タイミング信号を生成できた時に０にリセットされ、他局タイミング信号を選択した場合は、カウンタ１７のカウント値はカウントアップされることになるが、時刻情報取得手段１２により時刻情報を取得できない場合、自局カウント値より受信した他局カウント値が小さい場合、他局タイミング信号を選択すると共に、カウンタ１７のカウント値を、他局カウント値に変更し、且つ送信タイミング生成手段１６を、他局タイミング信号に同期化させる構成とし、副情報は、更新されたカウント値と他局タイミング信号に同期化した自局送信タイミング信号とを含むように制御することも可能である。このような制御により、固定局３０のサービスエリアに近づくに従って尤度が良くなる他局タイミング信号を受信処理することが可能となり、固定局３０のサービスエリアに移動した時は、固定局３０のシステムクロックに同期してＴＤＤ制御を実行することができる。
【図面の簡単な説明】
【００２６】
【図１】本発明の実施例１の説明図である。
【図２】時刻情報転送及び通信期間切替えの説明図である。
【符号の説明】
【００２７】
１−１，１−２  移動局
２−１，２−２  ＧＰＳ衛星群
１１  主情報送受信手段
１２  時刻情報取得手段
１３  副情報送受信手段
１４  ＴＤＤ送受信制御手段
１５  送受信情報処理手段
１６  送信タイミング生成手段
１７  カウンタ
１８  比較手段
１９  多重化手段（ＭＵＸ）
２０  多重分離手段（ＤＥＭＵＸ）
２１  セレクタ
【図１】
0004519766.tif 000002
【図２】
0004519766.tif 000003